(57)【要約】【課題】廃石膏ボードのリサイクルに鎖打撃式破砕乾燥機を使って、破砕、乾燥、分離を同時に行うことにより、設備機械の台数を減らし、紙と石膏の分離を向上させ、紙のリサイクルを図れる廃石膏ボードの分離回収方法を提供する。【解決手段】高速旋回される多段方式の鎖の打撃によって被破砕物を破砕処理する縦型円筒状の破砕室を有し、且つ、この破砕室の下部に熱風又は空気を旋回流として供給し得る手段を備えた下部供給口を有する鎖打撃式破砕乾燥機において、下部供給口から空気を供給しながら、石膏、紙、釘等の複合廃棄物からなる廃石膏ボードを破砕し、比重の軽い石膏及び紙は上記空気と共に上方から回収し、次いで篩い分けにより石膏と紙に分離回収し、比重の重い釘等の金属分は破砕機下から分離回収する。【選択図】    図３
2008178807.tif 000002
【特許請求の範囲】
【請求項１】
高速旋回される多段方式の鎖の打撃によって被破砕物を破砕処理する縦型円筒状の破砕室を有し、且つ、この破砕室の下部に熱風又は空気を旋回流として供給し得る手段を備えた下部供給口を有する鎖打撃式破砕乾燥機において、下部供給口から空気を供給しながら、石膏、紙、釘等の複合廃棄物からなる廃石膏ボードを破砕し、比重の軽い石膏及び紙は上記空気と共に上方から回収し、次いで篩い分けにより石膏と紙に分離回収し、比重の重い釘等の金属分は破砕機下から分離回収することを特徴とする廃石膏ボードの分離回収方法。
【請求項２】
廃石膏ボードの水分が多くて乾燥が必要な場合に、上記鎖打撃式破砕乾燥機において、下部供給口から空気の代わりに熱風を供給することを特徴とする請求項１記載の廃石膏ボードの分離回収方法。
【発明の詳細な説明】
【技術分野】
【０００１】
本発明は鎖打撃式破砕機を用いて、廃石膏ボードの破砕、乾燥、分離回収を同時に行うことが出来、各構成分を分離回収することにより、リサイクルが可能となる廃石膏ボードの分離回収方法に関する。
【背景技術】
【０００２】
従来より、石膏ボード生産工場では、廃石膏ボードのリサイクルは行われているが、廃石膏ボードを一次破砕機で破砕し、その破砕物から磁選機により釘等の鉄分を除去し、ハンマークラッシャー等で二次破砕を行い、篩いにかけて石膏のみをリサイクルしている。
【発明の開示】
【発明が解決しようとする課題】
【０００３】
しかし篩い分けオーバー品として回収される紙は、石膏との分離が不充分なため、リサイクルが難しいという問題がある。又、建築廃材として出される石膏ボードについては、水分が多いと言うこともあり、乾燥機が別に必要となる。
【０００４】
上記問題を解消するため、本発明は、廃石膏ボードのリサイクルに鎖打撃式破砕乾燥機を使って、破砕、乾燥、分離を同時に行うことにより、設備機械の台数を減らし、紙と石膏の分離を向上させ、紙のリサイクルを図れる廃石膏ボードの分離回収方法を提供することを課題とした。
【課題を解決するための手段】
【０００５】
上記の目的を達成するため、本発明は、高速旋回される多段方式の鎖の打撃によって被破砕物を破砕処理する縦型円筒状の破砕室を有し、且つ、この破砕室の下部に熱風又は空気を旋回流として供給し得る手段を備えた下部供給口を有する鎖打撃式破砕乾燥機において、下部供給口から空気を供給しながら、石膏、紙、釘等の複合廃棄物からなる廃石膏ボードを破砕し、比重の軽い石膏及び紙は上記空気と共に上方から回収し、次いで篩い分けにより石膏と紙に分離回収し、比重の重い釘等の金属分は破砕機下から分離回収することを特徴とする廃石膏ボードの分離回収方法を構成した。
【０００６】
ここで、主体となる鎖打撃式破砕機には、特許第３１４４７２８号の破砕機を利用し、それは、縦型円筒状の鋼板製周壁部をもつ破砕容器の上部に破砕される被破砕物の投入口を、下部及び上部に破砕された被破砕物を取り出す取出口を設け、該破砕容器の中心部に軸心を中心として高速回転される回転軸を垂設し、該回転軸に被破砕物を打撃して破砕、分離し得る複数の打撃鎖を水平方向に数等分して放射状態に配し、それを多段方式に設けた破砕機である。
【０００７】
上記本発明の構成により、本破砕機の下部から空気を入れ、被処理物を細かく破砕し、その破砕により分離された比重の軽い石膏と紙を空気と共に上方から、比重の重い釘等の異物は下部から排出することにより分離回収され、上方から排出される石膏と紙はサイクロンにより回収されると共に、回収した破砕物を篩い分けすることにより、細かい石膏と大きな紙に分離回収される。しかも、紙は破砕機内で回転鎖に叩かれているので、石膏との分離は充分にされており、石膏と紙のリサイクルが可能となる。
【０００８】
なお、水分の多く含んだ廃石膏ボードでも別に乾燥機を設けることなく、破砕機内で熱風を供給することにより乾燥されるため、破砕と分離が充分に行われ、石膏と紙のリサイクルが可能となる（請求項２）。
【発明の効果】
【０００９】
以上説明したように、従来の廃石膏ボードリサイクルの設備では、紙のリサイクルは難しかったが、本発明のように、鎖打撃式破砕乾燥機を使用することにより、紙に付着した石膏を充分に除去することが出来、石膏は勿論のこと紙のリサイクルも可能となった。
【発明を実施するための最良の形態】
【００１０】
以下、本発明の実施例を図面を使って説明する。
【００１１】
図１及び図２は、本分離回収方法で使用する鎖打撃式破砕乾燥機であるが、ベース１上に駆動部本体２を取付け、その上に破砕乾燥容器３を固定する。破砕乾燥容器３内には主軸４を垂直に配置し、主軸には、鎖取付けホルダー５を取付け、鎖６はシャックル等で簡単に取付け出来るようになっている。
【００１２】
鎖６は、主軸を高速で回転した際、放射状に広がり、供給口７においては、被処理物は供給スクリュー等の定量供給装置で供給され、次いで被処理物を細かく破砕し、破砕しながら、石膏、釘、紙に分離される。
【００１３】
破砕分離された被処理物は、比重の重い釘は下部排出口８から、比重の軽い細かく砕かれた石膏と紙は、容器下部に設けてある熱風供給口８から供給される熱風と共に上部排出口９から排出される。
【００１４】
被処理物の供給口７は、破砕容器内での紙と石膏の分離が充分に行なわれるように滞留時間をとるため、容器中位置より下方に設けてある。そして、熱風供給口８は、熱風が旋回流となるよう胴体接線方向に設けてあり、容器内で熱風と被処理物が混合、接触し、被処理物のいない中心部からの吹き抜けを防ぐことにより、効率良く熱交換されるよう配慮されている。これらにより、被処理物の乾燥が速やかに進み、破砕、分離が充分に行われて排出することが出来る。
【００１５】
一方、図３に示すように、熱風発生炉１４で作られる熱風と共に鎖打撃式破砕乾燥機１０の上部から排出される石膏と紙は、サイクロン１１にて回収され、サイクロン下に配置された篩い１２により、石膏粉と紙に分別回収される。又、サイクロンから排出される熱風中にも微細な石膏粉が含まれているので、バグフィルタ１３により回収され、石膏のリサイクルに回される。
【００１６】
ダンパ１５は、破砕容器内の風速が速すぎて充分な破砕のための滞留時間がとれない場合に絞るために使用する。なお、図３中、１６は廃石膏供給スクリュー、１７は釘等の異物回収箱、１８は排気ファンを示す。
【００１７】
以上のことにより、鎖打撃式破砕乾燥機を使って、廃石膏ボードの石膏と紙と釘に分離回収する事が出来、石膏のリサイクルは勿論のこと、紙のリサイクルも可能となる。
【図面の簡単な説明】
【００１８】
【図１】この発明の一実施例を説明する一部断面立面図。
【図２】同実施例を説明する一部断面平面図。
【図３】この発明の全体の実施例設備を説明する図。
【符号の説明】
【００１９】
１  ベース
２  駆動部本体
３  破砕乾燥容器本体
４  主軸
５  回転鎖取付けホルダー
６  破砕鎖
７  被処理物供給口
８  被処理物下部排出口、熱風供給口
９  被処理物上部排出口
１０鎖打撃式破砕乾燥機
１１サイクロン
１２振動篩い
１３バグフィルタ
１４熱風発生炉
１５風量調整ダンパ
１６廃石膏供給スクリュー
１７釘等異物回収箱
１８排風ファン
【図１】
2008178807.tif 000003
【図２】
2008178807.tif 000004
【図３】
2008178807.tif 000005